【手続補正書】
【提出日】平成16年4月28日(2004.4.28)
【手続補正１】
【補正対象書類名】明細書
【補正対象項目名】全文
【補正方法】変更
【補正の内容】
【書類名】      明細書
【発明の名称】      プロジェクタ
【特許請求の範囲】
【請求項１】  光源と、
この光源からの光を赤、緑及び青の３つの色光に分離する色分離光学系と、
赤の色光を変調するための赤色用液晶パネルと、
緑の色光を変調するための緑色用液晶パネルと、
青の色光を変調するための青色用液晶パネルと、
前記３つの液晶パネルで変調された光を投写する投写レンズとを備えたプロジェクタであって、
前記３つの液晶パネルのうち前記赤色用液晶パネルのみがマイクロレンズを備えた液晶パネルであることを特徴とするプロジェクタ。
【請求項２】  前記光源が高圧水銀ランプであることを特徴とする請求項１記載のプロジェクタ。
【請求項３】  前記光源がメタルハライドランプであることを特徴とする請求項１記載のプロジェクタ。
【請求項４】  請求項１乃至３のいずれかに記載のプロジェクタにおいて、前記光源から前記緑色用液晶パネルまでの距離が、前記光源から前記赤色用液晶パネルの距離又は前記光源から前記青色用液晶パネルの距離よりも長いことを特徴とするプロジェクタ。
【請求項５】  請求項１乃至３のいずれかに記載のプロジェクタにおいて、前記光源から前記赤色用液晶パネルまでの距離が、前記光源から前記緑色用液晶パネルの距離又は前記光源から前記青色用液晶パネルの距離よりも長いことを特徴とするプロジェクタ。
【請求項６】  請求項１乃至３のいずれかに記載のプロジェクタにおいて、前記光源から前記３つの液晶パネルまでの距離がすべて等しいことを特徴とするプロジェクタ。
【請求項７】  請求項１乃至６のいずれかに記載のプロジェクタにおいて、前記赤色用液晶パネルの入射側偏光板の入射面には反射防止膜が形成されており、前記青色用液晶パネルの入射側偏光板の入射面及び前記緑色用液晶パネルの入射側偏光板の入射面には反射防止膜が形成されていないことを特徴とするプロジェクタ。
【請求項８】  請求項１乃至６のいずれかに記載のプロジェクタにおいて、前記赤色用液晶パネルの入射側偏光板の入射面及び前記青色用液晶パネルの入射側偏光板の入射面には反射防止膜が形成されており、前記緑色用液晶パネルの入射側偏光板の入射面には反射防止膜が形成されていないことを特徴とするプロジェクタ。
【発明の詳細な説明】
【０００１】
【発明が属する技術分野】
【０００２】
本発明は、カラー画像をスクリーンなどに投写するプロジェクタに関する。
【従来の技術】
【０００３】
図７は、従来のプロジェクタの光学系を示す図である。図７に示されるように、このプロジェクタ９０は、照明光学系１００と、色分離光学系２００と、リレー光学系２４０と、反射ミラー２２０と、２つのフィールドレンズ３００Ｒ、３００Ｇと、３つの液晶パネル３１０Ｒ、３１０Ｇ、３１０Ｂと、ダイクロイックプリズム４００と、投写レンズ４２０とを備えている。色分離光学系２００は、ダイクロイックミラー２１０、２１２を有している。リレー光学系２４０は、反射ミラー２５２、２５４、入射側レンズ２６２、リレーレンズ２６４、及びフィールドレンズ２６６を有している。
【０００４】
このプロジェクタ９０は、光源１１０から出射された光を色分離光学系２００によって赤、緑及び青の３つの色光に分離し、それぞれの色光を３つの液晶パネル３１０Ｒ、３１０Ｇ、３１０Ｂによって変調し、ダイクロイックプリズム４００によって合成し、この合成光を投写レンズ４２０を介してスクリーンＳ上に投写する。
【０００５】
このプロジェクタ９０の照明光学系１００は、光源１１０から出射される光を第１のレンズアレイ１２０によって複数の部分光束に分割して、第２のレンズアレイ１３０付近に集光し、重畳レンズ１５０によって各部分光束を液晶パネル３１０Ｒ、３１０Ｇ、３１０Ｂに重畳させるようにしている。このような照明光学系１００を採用することにより、光源１１０から出射される光束の断面内における照度分布が均一化され、液晶パネル３１０Ｒ、３１０Ｇ、３１０Ｂには照度が比較的均一な光を照射することが可能となる。
【０００６】
図８は、液晶パネル３１０Ｒ、３１０Ｇ、３１０Ｂに用いられる液晶パネルの断面構造を示す図である。図８に示されるように、この液晶パネル３１０は、表面に画素電極３１２、ＴＦＴ素子３１３などが形成されたＴＦＴ基板３１１と、表面にブラックマトリクス３１５、共通電極３１６などが形成された対向基板３１４との間隙に液晶層３１７が配置された構造を有している。そして、このＴＦＴ基板３１１の他の表面と対向基板３１４基板の他の表面には偏光板３１８、３１９が貼り付けられている。
【０００７】
この液晶パネル３１０は、ＴＦＴ素子３１３の働きによって、画素電極３１２と共通電極３１６と間に印加される電圧の大きさを画素ごとに制御することにより、対向基板３１４側から入射した入射光Ｌの透過率を画素ごとに制御することができる。しかも、ブラックマトリクス３１５の働きによって、画素以外の部分からの不要な光の漏洩を防止することができる。このため、液晶パネル３１０は、コントラストの高いライトバルブとなる。
【０００８】
従って、このようなコントラストの高いライトバルブである液晶パネル３１０をプロジェクタ９０の３つの液晶パネル３１０Ｒ、３１０Ｇ、３１０Ｂとして用いることにより、コントラストが高く表示品質のよいプロジェクタとなる。
【０００９】
最近では、ブラックマトリクスでけられていた光をも有効に利用することにより光利用効率の高められた液晶パネルが実用化されている。図９に、そのような液晶パネル３２０の断面構造を示す。図９に示されるように、この液晶パネル３２０は、基本的には図８に示された液晶パネル３１０と同じ構造をしているが、対向基板３１４にマイクロレンズ３２１が形成されている点が、異なっている。
このため、液晶パネル３２０は、マイクロレンズ３２１の働きによって、ブラックマトリクスでけられていた光をも有効に利用することができるため、プロジェクタ９０の３つの液晶パネルにこの液晶パネル３２０を用いることにより、プロジェクタの輝度を高めることができる。
【００１０】
しかしながら、プロジェクタにおいては、スクリーン上などに表示される画像の色再現性（色合い）をさらに向上させたいという要求が高まっている。また特許文献１のようなものもある。
【００１１】
【特許文献１】
特開２００３−１７２９７４号
【発明が解決しようとする課題】
【００１２】
そこで、本発明は、プロジェクタにおいてスクリーン上などに表示される画像の色再現性をさらに向上させることを目的とする。
【課題を解決するための手段】
【００１３】
（１）本発明のプロジェクタは、
光源と、
この光源からの光を赤、緑及び青の３つの色光に分離する色分離光学系と、
赤の色光を変調するための赤色用液晶パネルと、
緑の色光を変調するための緑色用液晶パネルと、
青の色光を変調するための青色用液晶パネルと、
前記３つの液晶パネルで変調された光を投写する投写レンズとを備えたプロジェクタであって、
前記３つの液晶パネルのうち前記赤色用液晶パネルのみがマイクロレンズを備えた液晶パネルであることを特徴とする。
【００１４】
本発明のプロジェクタによれば、３つの液晶パネルのうち赤色用液晶パネルのみをマイクロレンズを備えた液晶パネルとしているため、緑色や青色に比べて相対的に光強度の弱い色光においてのみ、液晶パネルの光利用効率が向上するため、色バランスが向上し、全体としてプロジェクタの色再現性（色合い）が向上する。
【００１５】
（２）上記（１）記載のプロジェクタにおいては、前記光源が高圧水銀ランプである場合に特に上記効果が大きい。高圧水銀ランプは色温度が高く、赤色の発光強度に比べて緑色や青色の発光強度が強いからである。
【００１６】
（３）上記（１）記載のプロジェクタにおいては、前記光源がメタルハライドランプであることが好ましい。メタルハライドランプも色温度が高く、赤色の発光強度に比べて緑色や青色の発光強度が強いからである。
【００１７】
（４）上記（１）乃至（３）のいずれかに記載のプロジェクタにおいては、前記光源から前記緑色用液晶パネルまでの距離が、前記光源から前記赤色用液晶パネルの距離又は前記光源から前記青色用液晶パネルの距離よりも長くなるように構成することができる。
【００１８】
このように構成すれば、高輝度のプロジェクタにおいて光強度が最も高い緑の色光について、その光路長を他の色光（赤、青）に比べて長くして、相対的に光の利用効率を低下させることができるので、色バランスが向上し、全体としてプロジェクタの色再現性（色合い）が向上する。
【００１９】
（５）上記（１）乃至（３）のいずれかに記載のプロジェクタにおいては、前記光源から前記赤色用液晶パネルまでの距離が、前記光源から前記緑色用液晶パネルの距離又は前記光源から前記青色用液晶パネルの距離よりも長くなるように構成することもできる。
【００２０】
このように構成すれば、上記（１）乃至（３）のプロジェクタにおいては、赤の色光について光利用効率が高まりすぎることがある。このような場合には、赤の色光についてはその光路長を他の色光（緑、青）に比べて長くすることにより、相対的に光の利用効率を若干低下させることができる。このため、色バランスが向上し、プロジェクタの色再現性（色合い）がさらに向上する。
【００２１】
（６）上記（１）乃至（３）のいずれかに記載のプロジェクタにおいては、前記光源から前記３つの液晶パネルまでの距離がすべて等しくなるように構成することもできる。
【００２２】
上記（１）乃至（３）のいずれかに記載のプロジェクタにおいては、光源から３つの液晶パネルまでの距離がすべて等しくなる等光路長光学系を採用した場合であっても、プロジェクタの色再現性（色合い）が向上するという効果を有する。
【発明の実施の形態】
【００２３】
次に、本発明の実施の形態を説明する。なお、以下の説明では、特に説明のない限り、光の進行方向をｚ方向、光の進行方向（ｚ方向）からみて３時の方向をｘ方向、１２時の方向をｙ方向とする。
【００２４】
（実施形態１）
図１は、本発明の実施形態１に係るプロジェクタの光学系を示す図である。このプロジェクタ１０は、照明光学系１００と、色分離光学系２００と、リレー光学系２４０と、反射ミラー２２０と、２つのフィールドレンズ３００Ｒ、３００Ｇと、３つの液晶パネル３２０Ｒ、３１０Ｇ、３１０Ｂと、ダイクロイックプリズム４００（色光合成光学系）と、投写レンズ系４２０とを備えている。
【００２５】
照明光学系１００は、略平行な光束を出射する光源１１０と、第１のレンズアレイ１２０と、第２のレンズアレイ１３０と、重畳レンズ１５０と、反射ミラー１６０とを備えている。照明光学系１００は、照明領域である液晶パネル３２０Ｒ、３１０Ｇ、３１０Ｂの有効領域をほぼ均一に照明するためのインテグレータ光学系である。
【００２６】
光源１１０は、放射状の光線を出射する放射光源としての光源ランプ１１２と、光源ランプ１１２から出射された放射光をほぼ平行な光線束として出射する凹面鏡１１４とを有している。光源ランプ１１２としては、輝度の高い高圧水銀ランプを用いている。
【００２７】
図２は、この光源ランプ１１２の光強度スペクトルを示す図である。高圧水銀ランプは、輝度を高くするために色温度が高く設定されており、このため、青及び緑の領域における光強度が、赤の領域における光強度よりも高くなっている。
【００２８】
図３は、第１のレンズアレイ１２０の外観を示す斜視図である。第１のレンズアレイ１２０は略矩形状の輪郭を有する小レンズ１２２がＭ行Ｎ列のマトリクス状に配列された構成を有している。この例では、Ｍ＝６、Ｎ＝４である。各小レンズ１２２は、光源１１０（図１）から入射された平行な光束を複数の（すなわちＭ×Ｎ個の）部分光束に分割し、各部分光束を第２のレンズアレイ１３０の近傍で収束させる。各小レンズ１２２をｚ方向から見た外形形状は、液晶パネル３２０Ｒ、３１０Ｇ、３１０Ｂの形状とほぼ相似形をなすように設定されている。
例えば、液晶パネルの照明領域（画像が表示される領域）のアスペクト比（横と縦の寸法の比率）が４：３であるならば、各小レンズ１２２のアスペクト比も４：３に設定する。
【００２９】
第２のレンズアレイ１３０も、第１のレンズアレイ１２０の小レンズ１２２に対応するように、小レンズがＭ行Ｎ列のマトリクス状に配列された構成を有している。第２のレンズアレイ１３０は、第１のレンズアレイ１２０から出射された各部分光束の中心軸（主光線）が重畳レンズ１５０の入射面に垂直に入射するように構成されている。
【００３０】
重畳レンズ１５０は、複数の部分光束を、３つの液晶パネル３２０Ｒ、３１０Ｇ、３１０Ｂに重畳させる機能を有している。なお、実施形態１では、第２のレンズアレイ１３０と重畳レンズ１５０を別々の構成としているが、第２のレンズアレイ１３０に重畳レンズ１５０の機能を併せ持つように構成してもよい。
【００３１】
第２のレンズアレイ１３０は、図１に示すように、反射ミラー１６０を挟んで第１のレンズアレイ１３０に対して９０度傾いて配置されている。反射ミラー１６０は、第１のレンズアレイ１２０から出射された光束を第２のレンズアレイ１３０に導くために設けられている。照明光学系の構成によっては、必ずしも必要としない。例えば、第１のレンズアレイ１２０および光源１１０が第２のレンズアレイ１３０に平行に設けられていてもよい。
【００３２】
図１に示すプロジェクタ１０において、光源１１０から出射された略平行な光束は、インテグレータ光学系を構成する第１と第２のレンズアレイ１２０、１３０によって、複数の部分光束に分割される。第１のレンズアレイ１２０の各小レンズから出射された部分光束は、第２のレンズアレイ１３０の各小レンズの近傍で光源１１０の光源像（２次光源像）が形成されるように集光される。第２のレンズアレイ１３０の近傍に形成された２次光源像から出射された部分光束は、重畳レンズ１５０によって液晶パネル３２０Ｒ、３１０Ｇ、３１０Ｂの有効領域（表示に用いられる領域）上で重畳される。上記の結果、各液晶パネル３２０Ｒ、３１０Ｇ、３１０Ｂは、ほぼ均一に照明される。
【００３３】
色分離光学系２００は、２つのダイクロイックミラー２１０、２１２を備え、重畳レンズ１５０から出射される光を、赤、緑、青の３色の色光に分離する機能を有している。第１のダイクロイックミラー２１０は、照明光学系１００から出射された光束の赤色成分を透過させるとともに、青色成分と緑色成分とを反射する。第１のダイクロイックミラー２１０を透過した赤色光は、反射ミラー２２０で反射され、フィールドレンズ３００Ｒを通って赤光用の液晶ライトバルブ３２０Ｒに達する。
【００３４】
第１のダイクロイックミラー２１０で反射された青色光と緑色光のうち、緑色光は第２のダイクロイックミラー２１２によって反射され、フィールドレンズ３００Ｇを通って緑光用の液晶パネル３１０Ｇに達する。
【００３５】
一方、青色光は、第２のダイクロイックミラー２１２を透過し、入射側レンズ２６２、反射ミラー２５２、リレーレンズ２６４、反射ミラー２５４、フィールドレンズ２６６を備えたリレー光学系２４０を通り、青色用の液晶パネル３１０Ｂに達する。なお、青色光にリレーレンズ系が用いられているのは、青色光の光路の長さが他の色光の光路の長さよりも長いため、光の拡散等による光の利用効率の低下を防止するためである。すなわち、入射側レンズ２６２に入射した部分光束をそのまま、フィールドレンズ２５４に伝えるためである。
【００３６】
液晶パネル３２０Ｒ、３１０Ｇ、３１０Ｂは、与えられた画像情報（画像信号）に従って、各色光の出射光強度を変調する。
【００３７】
ダイクロイックプリズム４００は、３色の色光を合成してカラー画像を形成する色合成光学系としての機能を有している。ダイクロイックプリズム４００には、赤色光を反射する誘電体多層膜と、青色光を反射する誘電体多層膜とが、４つの直角プリズムの界面に略Ｘ字状に形成されている。これらの誘電体多層膜で構成される色光反射膜の波長選択特性により、３つの色光が合成されて、カラー画像を投写するための合成光が形成される。
【００３８】
ダイクロイックプリズム４００で生成された合成光は、投写レンズ４２０に導かれる。投写レンズ４２０は、この合成光をスクリーンＳ上に投写して、カラー画像を表示する投写手段としての機能を有する。
【００３９】
実施形態１に係るプロジェクタ１０は、液晶パネルの構成に特徴がある。すなわち、赤色用液晶パネル３２０Ｒは、図９に示したようなマイクロレンズを備えた液晶パネルである。これに対して、緑色用液晶パネル３１０Ｇ及び青色用液晶パネル３１０Ｂは、図８に示したようなマイクロレンズを備えない液晶パネルである。このため、緑色や青色に比べて相対的に光強度の弱い色光においてのみ、液晶パネルの光利用効率が向上するため、色バランスが向上し、全体としてプロジェクタの色再現性（色合い）が向上する。
【００４０】
（実施形態２）
図４は、本発明の実施形態２に係るプロジェクタの光学系を示す図である。このプロジェクタ２０は、照明光学系１００Ａと、色分離光学系２００と、リレー光学系２４０と、反射ミラー２２０と、２つのフィールドレンズ３００Ｒ、３００Ｇと、３つの液晶パネル３２０Ｒ、３１０Ｇ、３２０Ｂと、ダイクロイックプリズム４００と、投写レンズ４２０とを備えている。
【００４１】
このプロジェクタ２０は、照明光学系１００Ａに、照明光をほぼ一種類の偏光光に変換する偏光変換素子１４０を有している点、及び青色用の液晶パネル３２０Ｂがマイクロレンズを備えた液晶パネルである点で、先に説明したプロジェクタ１０と異なっている。その他の構成については、プロジェクタ１０と同様である。実施形態２の説明及び図４において、プロジェクタ１０と同様の構成部分については、図１〜図３で用いた符号と同じ符号を付し、その詳細な説明を省略する。
【００４２】
照明光学系１００Ａは、略平行な光束を出射する光源１１０と、第１のレンズアレイ１２０と、第２のレンズアレイ１３０と、偏光変換素子１４０と、重畳レンズ１５０と、反射ミラー１６０とを備えている。照明光学系１００Ａは、照明領域である液晶パネル３２０Ｒ、３１０Ｇ、３２０Ｂの有効領域をほぼ均一に照明するためのインテグレータ光学系である。
【００４３】
光源１１０、第１のレンズアレイ１２０、第２のレンズアレイ１３０の構成、及び反射ミラー１６０の機能は、プロジェクタ１０の照明光学系１００のものと同様である。第１のレンズアレイ１２０から出射される部分光束の中心軸が平行に近い場合には、第２のレンズアレイ１３０を省略することも可能である。
【００４４】
図５（Ａ）、図５（Ｂ）は、偏光変換素子１４０の詳細な構成および機能を説明するための図である。偏光変換素子１４０は、図５（Ａ）に示すように、光軸を挟んで対称な向きに配置された２つの偏光変換素子アレイ１４０Ａ、１４０Ｂによって構成されている。この偏光変換素子アレイ１４０Ａ、１４０Ｂは、偏光ビームスプリッタアレイ１７０Ａ、１７０Ｂと、その光射出面の一部に選択的に配置されたλ／２位相差板１８０Ａ、１８０Ｂ（図中斜線で示す。）とを備えている。偏光ビームスプリッタアレイ１７０Ａ、１７０Ｂは、図５（Ｂ）に示すように、それぞれ断面が平行四辺形の柱状の透光性部材１７１が、順次貼り合わされた形状を有している。透光性部材１７１の界面には、偏光分離膜１７２と反射膜１７３とが交互に形成されている。λ／２位相差板１８０Ａ、１８０Ｂは、図５（Ａ）に示すように、偏光分離膜１７２又は反射膜１７３の光の射出面のｚ方向の写像部分に、選択的に貼り付けられる。この例では、偏光分離膜１７２の光の射出面のｚ方向の写像部分に貼り付けられている。
【００４５】
このように構成された偏光変換素子１４０の入射面には、ｓ偏光成分とｐ偏光成分とを含む非偏光光（ランダムな偏光方向を有する入射光）が入射する。
この入射光は、図５（Ａ）中矢印で示すように、まず、偏光分離膜１７２によってｓ偏光光とｐ偏光光に分離される。ｓ偏光光は、偏光分離膜１７２によってほぼ垂直に反射され、反射膜１７３によってさらに反射されてから射出される。一方、ｐ偏光光は、偏光分離膜１７２をそのまま透過する。偏光分離膜を透過したｐ偏光光の射出面には、λ／２位相差板１８０Ａ、１８０Ｂが配置されており、このｐ偏光光がｓ偏光光に変換されて射出する。従って、偏光変換素子１４０を通過した光は、そのほとんどがｓ偏光光となって射出される。すなわち、偏光変換素子１４０は、レンズアレイ１２０、１３０から出射された光をほぼ１種類の直線偏光光（例えば、ｓ偏光光やｐ偏光光）に変換して射出する機能を有する。
なお、偏光変換素子１４０から射出される光をｐ偏光光としたい場合には、λ／２位相差板１８０Ａ、１８０Ｂを、反射膜１７３によって反射されたｓ偏光光が射出する射出面に配置するようにすればよい。
【００４６】
重畳レンズ１５０は、偏光変換素子１４０によってほぼ一種類の偏光光に変換された複数の部分光束を、３つの液晶パネル３２０Ｒ、３１０Ｇ、３２０Ｂに重畳させる機能を有している。
【００４７】
このような照明光学系１００Ａを備えたプロジェクタ２０は、従来表示に寄与しなかった一方の偏光成分をも有効に利用することができるため、輝度の高いプロジェクタとなる。
【００４８】
また、実施形態２に係るプロジェクタ２０は、赤色用の液晶パネル３２０Ｒに加えて、青色用の液晶パネル３２０Ｂについても、図９に示したようなマイクロレンズを備えた液晶パネルとしたから、緑色に比べて相対的に光強度の弱い色光（赤色、青色）において光利用効率が向上する。このため、実施形態２に係るプロジェクタ２０は、実施形態１の場合と同様に、色バランスが向上し、やはり全体としてプロジェクタの色再現性（色合い）が向上する。
【００４９】
なお、実施形態１においても、実施形態２においても、光源１１０から赤色用液晶パネル３２０Ｒまでの距離と光源１１０から緑色用液晶パネル３１０Ｇ、３２０Ｇまでの距離とが同じ距離となるよう構成されているとともに、これらの距離に比べて、光源１１０から青色用液晶パネル３１０Ｂまでの距離が長くなるように構成されている。しかしながら、本発明のプロジェクタは、その構成に限られず、光源１１０から赤色用液晶パネル３２０Ｒまでの距離が、光源１１０から青色用液晶パネル３１０Ｂ、３２０Ｂや光源１１０から緑色用液晶パネル３１０Ｇまでの距離に比べて長く構成された場合であっても、色再現性（色合い）が向上することもある。赤色光の光利用効率が相対的に高くなりすぎることもあるからである。
【００５０】
（実施形態３）
図６は、本発明の実施形態３に係るプロジェクタの光学系を示す図である。このプロジェクタ３０は、光源１００と、反射ミラー２５６と、色分離光学系２００Ｂと、反射ミラー２２０、２５２、２５４と、３つのフィールドレンズ３００Ｒ、３００Ｇ、３００Ｂと、３つの液晶パネル３２０Ｒ、３１０Ｇ、３１０Ｂと、ダイクロイックプリズム４００と、投写レンズ４２０とを備えている。
【００５１】
このプロジェクタ３０は、光源から３つの液晶パネル３２０Ｒ、３１０Ｇ、３１０Ｂまでの各距離が等しい等光路長光学系である。実施形態３のプロジェクタにおいては、この等光路長光学系において、赤色用液晶パネル３２０Ｒを、図９に示したようなマイクロレンズを備えた液晶パネルとする一方、緑色用液晶パネル３１０Ｇ及び青色用液晶パネル３１０Ｂは、図８に示したようなマイクロレンズを備えない液晶パネルとした。このプロジェクタ３０においては、緑色や青色に比べて相対的に光強度の弱い色光においてのみ、液晶パネルの光利用効率が向上するため、実施形態１や実施形態２の場合と同様に、色バランスが向上し、全体としてプロジェクタの色再現性（色合い）が向上する。
【００５２】
（実施形態４）
本発明の実施形態４に係るプロジェクタは、図示しないが、図１に示された実施形態１に係るプロジェクタ１０と同様の光学系を有している。実施形態４に係るプロジェクタが実施形態１に係るプロジェクタ１０と異なっているのは、以下の点である。
【００５３】
すなわち、実施形態１に係るプロジェクタ１０においては、各色のフィールドレンズ３００Ｒ、３００Ｇ、２６６の入射面、各色用の液晶パネル３２０Ｒ，３１０Ｇ，３１０Ｂの入射側偏光板の入射面及び出射側偏光板の出射面、ダイクロイックプリズムの各色光の入射面には、光利用効率を向上させる観点から、誘電体多層膜からなる反射防止膜が形成されている。これに対して、実施形態４に係るプロジェクタにおいてもほぼすべての面には誘電体多層膜からなる反射防止膜が形成されている一方、緑色用のフィールドレンズ３００Ｇの入射面にのみ、誘電体多層膜からなる反射防止膜をあえて形成させていない。このことは光利用効率から考えると不利になるが、これによって、色バランスが向上し、プロジェクタの色再現性（色合い）がさらに向上する。
【００５４】
誘電体多層膜からなる反射防止膜をあえて形成させない光学要素としては、緑色用のフィールドレンズの入射面に限られず、緑色用液晶パネルの入射側偏光板の入射面、出射側偏光板の出射面、ダイクロイックプリズムの緑色光が入射する面も可能であり、効果もある。
【００５５】
（実施形態５）
本発明の実施形態５に係るプロジェクタは、図示しないが、図１に示された実施形態１に係るプロジェクタ１０と同様の光学系を有している。実施形態５に係るプロジェクタが実施形態１に係るプロジェクタ１０と異なっているのは、以下の点である。
【００５６】
すなわち、実施形態１に係るプロジェクタ１０においては、各色のフィールドレンズ３００Ｒ、３００Ｇ、２６６の入射面、各色用の液晶パネル３２０Ｒ，３１０Ｇ，３１０Ｂの入射側偏光板の入射面及び出射側偏光板の出射面、ダイクロイックプリズムの各色光の入射面には、光利用効率を向上させる観点から、誘電体多層膜からなる反射防止膜が形成されている。これに対して、実施形態５に係るプロジェクタにおいてもほぼすべての面には誘電体多層膜からなる反射防止膜が形成されている一方、緑色用及び青色用フィールドレンズ３００Ｇ、２６６の入射面にのみ、誘電体多層膜からなる反射防止膜をあえて形成させていない。このことは光利用効率から考えると不利になるが、これによって、色バランスが向上し、プロジェクタの色再現性（色合い）がさらに向上する。
【００５７】
誘電体多層膜からなる反射防止膜をあえて形成させない光学要素としては、緑色用及び青色用のフィールドレンズの入射面に限られず、緑色用及び青色用の液晶パネルの入射側偏光板の入射面、出射側偏光板の出射面、ダイクロイックプリズムの緑色光の入射面又は青色光の入射面も可能であり、効果もある。
【図面の簡単な説明】
【００５８】
【図１】  本発明の実施形態１に係るプロジェクタの光学系を示す図である。
【図２】  本発明の実施形態１に係るプロジェクタに用いられる光源ランプの光強度スペクトルを示す図である。
【図３】  本発明の実施形態１に係るプロジェクタに用いられる第１のレンズアレイの外観を示す斜視図である。
【図４】  本発明の実施形態２に係るプロジェクタの光学系を示す図である。
【図５】  本発明の実施形態２に係るプロジェクタに用いられる偏光変換素子の構成及び機能を説明するための図である。
【図６】  本発明の実施形態３に係るプロジェクタの光学系を示す図である。
【図７】  従来のプロジェクタの光学系を示す図である。
【図８】  液晶ライトバルブの構造を示す図である。
【図９】  液晶ライトバルブの構造を示す図である。
【符号の説明】
【００５９】
１０、２０、３０、９０・・・プロジェクタ
１００・・・照明光学系
１１０・・・光源
１１２・・・光源ランプ
１１４・・・凹面鏡
１２０・・・第１のレンズアレイ
１２２・・・小レンズ
１３０・・・第２のレンズアレイ
１４０・・・偏光変換素子
１５０・・・重畳レンズ
１６０・・・反射ミラー
１７０Ａ，１７０Ｂ・・・偏光ビームスプリッタアレイ
１７１・・・透光性部材
１７２・・・偏光分離膜
１７３・・・反射膜
１８０Ａ，１８０Ｂ・・・λ／２位相差板
２００・・・色分離光学系
２１０・・・第１のダイクロイックミラー
２１２・・・第２のダイクロイックミラー
２２０、２５２、２５４、２５６・・・反射ミラー
２２０・・・リレー光学系
２６２・・・入射側レンズ
２６４・・・リレーレンズ
３００Ｒ、３００Ｇ、２６６・・・フィールドレンズ
３１０、３１０Ｒ、３１０Ｇ、３１０Ｂ、３２０、３２０Ｒ、３２０Ｇ、３２０Ｂ・・・液晶パネル
４００・・・ダイクロイックプリズム
４２０・・・投写レンズ
Ｓ・・・スクリーン